(57)【要約】【課題】シロアリの土台への進入を防止する防蟻笠木を提供すること。【解決手段】基礎コンクリート２の外周に配置する外張り断熱材３の上端に取り付ける防蟻笠木１であって、水平部１１と、水平部１１の幅方向の一端を下方に折り曲げて形成する外折曲部１２と、水平部１１の幅方向の他端を下方に折り曲げて形成する内折曲部１３と、からなり、水平部１１の幅は外張り断熱材３の厚さよりも大きいことを特徴とする。【選択図】図１
0003212407.tif 000002
【実用新案登録請求の範囲】
【請求項１】
基礎コンクリートの外周に配置する外張り断熱材の上端に取り付ける防蟻笠木であって、
水平部と、前記水平部の幅方向の一端を下方に折り曲げて形成する外折曲部と、前記水平部の幅方向の他端を下方に折り曲げて形成する内折曲部と、からなり、
前記水平部の幅は前記外張り断熱材の厚さよりも大きいことを特徴とする、防蟻笠木。
【請求項２】
請求項１に記載の防蟻笠木において、
前記内折曲部の下端を外側に傾斜して傾斜部を形成することを特徴とする、防蟻笠木。
【請求項３】
請求項１又は請求項２に記載の防蟻笠木において、
前記外折曲部と前記内折曲部との間に、前記水平部に沿って上部断熱材を配置することを特徴とする、防蟻笠木。
【請求項４】
基礎コンクリートの外周に断熱材を配置する、木造住宅の基礎外断熱構造であって、
請求項１乃至請求項３のいずれかに記載の防蟻笠木を前記外張り断熱材の上面に配置し、
前記外折曲部は前記断熱材の外周面に当接し、
前記内折曲部は前記基礎コンクリートに埋設することを特徴とする、基礎外断熱構造。
【考案の詳細な説明】
【技術分野】
【０００１】
本考案は、基礎コンクリートの外周に配置する断熱材に取り付ける防蟻笠木と、それを用いた基礎外断熱構造に関する。
【背景技術】
【０００２】
木造住宅の床下の断熱としては、床面下部に断熱材を配置する床下断熱構造が広く用いられている。
一方、高気密・高断熱住宅として住環境をより良くするための構造として、基礎を断熱して床下空間を室内環境に取り込む基礎断熱構造も、特に寒冷地において用いられるようになってきている。
【０００３】
基礎断熱構造のうち基礎外断熱構造は、基礎コンクリートの外周に断熱材を張りつけて配置するものであり、その構築方法としては、基礎コンクリートを構築した後に断熱材を後張りする方法の他、最近は、断熱材を型枠に沿って予め配置しておき、コンクリート打設後も残置する工法が採用されている。
【先行技術文献】
【特許文献】
【０００４】
【特許文献１】特開平１１−３６５８７号公報
【考案の概要】
【考案が解決しようとする課題】
【０００５】
このような基礎断熱構造に用いられる断熱材は発泡プラスチック製の断熱材であるが、このような断熱材は内部をシロアリが掘り進んで通過することができ、そのままシロアリが基礎コンクリート上部の土台に到達してしまい、シロアリによる被害が発生してしまう。
【０００６】
本考案は、基礎外断熱構造において、シロアリの土台への進入を防止する防蟻笠木およびそれを用いた基礎外断熱構造を提供することを目的とする。
【課題を解決するための手段】
【０００７】
上記目的を達成するためになされた本願の第１考案は、基礎コンクリートの外周に配置する断熱材の上端に取り付ける防蟻笠木であって、水平部と、前記水平部の幅方向の一端を下方に折り曲げて形成する外折曲部と、前記水平部の幅方向の他端を下方に折り曲げて形成する内折曲部と、からなり、前記水平部の幅は前記断熱材の厚さよりも大きいことを特徴とする、防蟻笠木を提供する。
本願の第２考案は、第１考案の防蟻笠木において、前記内折曲部の下端を外側に傾斜して傾斜部を形成することを特徴とする、防蟻笠木を提供する。
本願の第３考案は、第１考案又は第２考案の防蟻笠木において、前記外折曲部と前記内折曲部との間に、前記水平部に沿って上部断熱材を配置することを特徴とする、防蟻笠木を提供する。
本願の第４考案は、基礎コンクリートの外周に断熱材を配置する、木造住宅の基礎外断熱構造であって、第１考案乃至第３考案のいずれかの防蟻笠木を前記断熱材の上面に配置し、前記外折曲部は前記断熱材の外周面に当接し、前記内折曲部は前記基礎コンクリートに埋設することを特徴とする、基礎外断熱構造を提供する。
【考案の効果】
【０００８】
本考案の防蟻笠木およびそれを用いた基礎外断熱構造は、上記した課題を解決するための手段により、次のような効果の少なくとも一つを得ることができる。
＜１＞シロアリが外張り断熱材内を掘り進んで上端部に達しても、硬質な防蟻笠木に遮られて、外張り断熱材上端部から木造住宅の土台まで進むことはできない。
＜２＞防蟻笠木の水平部の幅は外張り断熱材の厚さよりも広くすることにより、内折曲部を基礎コンクリートに埋設して、外張り断熱材の上端に固定できる。
＜３＞予め内折曲部の下端を外側に傾斜しておくことにより、基礎コンクリートに埋設する際に内折曲部が内側に折れることを防止する。
＜４＞防蟻笠木内に外張り断熱材の必要高さに合わせた上部断熱材をあらかじめ配置しておくことにより、外張り断熱材の歩留まりが良くなり、工費を低減できる。
【図面の簡単な説明】
【０００９】
【図１】基礎外断熱構造の説明図
【図２】防蟻笠木の斜視図
【図３】その他実施例にかかる防蟻笠木の斜視図
【図４】その他実施例にかかる基礎外断熱構造の説明図（１）
【図５】その他実施例にかかる基礎外断熱構造の説明図（２）
【考案を実施するための形態】
【００１０】
以下、図面を参照しながら本考案の実施の形態を詳細に説明する。
【００１１】
［実施例１］
（１）基礎外断熱構造
本考案の基礎外断熱構造は、基礎コンクリート２の外周に外張り断熱材３を配置したものである（図１）。
外張り断熱材３の上端には防蟻笠木１を配置する。
【００１２】
（２）外張り断熱材
外張り断熱材３は板状の発泡プラスチック製であり、ポリスチレンや硬質ウレタン等の発泡体からなる。
【００１３】
（３）防蟻笠木
防蟻笠木１は、金属や合成樹脂等の硬質の素材からなり、長さ方向に亘って水平部１１を形成し、その幅方向の両端を下方に折り曲げた外折曲部１２、内折曲部１３をそれぞれ形成する（図２）。
防蟻笠木１は外張り断熱材３の上端に配置するが、水平部１１の幅は外張り断熱材３の厚さよりも広くする。
そして、外折曲部１２が外張り断熱材３の外周面に当接し、内折曲部１３は基礎コンクリート２に埋設する。
外折曲部１２および内折曲部１３の内側にはかえし１４を形成する。
外折曲部１２のかえし１４が外張り断熱材３に食い込むことで、外折曲部１２が外張り断熱材３と一体となり、外れることがない。
外折曲部１２は、外側に配置される木造住宅の水切りよりも端部が下方に位置する長さとする。
外折曲部１２と内折曲部１３は、同じ長さとしても良いし、内折曲部１３を短くしてもよい。
【００１４】
（３．１）
内折曲部１３の下部は、下端から所定の位置から外側に折り曲げて傾斜部１３１を形成する。
内折曲部１３は基礎コンクリート２を打設する際に、下端が基礎コンクリート２に埋設されるが、その時に内側に折れてしまうおそれがある。
このため、予め外側に折り曲げて傾斜部１３１を形成することにより、内側に折れてしまうことを防止する。
【００１５】
（４）防蟻笠木の作用
防蟻笠木１は、外張り断熱材３の上端に配置されている。
そして、防蟻笠木１は硬質なため、シロアリが外張り断熱材３内を掘り進んで上端部に達しても、硬質な防蟻笠木１に遮られて、外張り断熱材３上端部から木造住宅の土台まで進むことはできない。
また、外折曲部１２より外側は露出しているため、日光に弱いシロアリが外折曲部１２の表面から土台に到達することはない。
内折曲部１３は基礎コンクリート２に埋設されるため、防蟻笠木１は外張り断熱材３の上端に固定される。そして、内折曲部１３が硬質な基礎コンクリート２内にあるため、内側からシロアリが土台に到達することもない。
【００１６】
［実施例２］
防蟻笠木１には、あらかじめ、外折曲部１２と内折曲部１３との間に、水平部１１に沿って上部断熱材１５を配置しておいてもよい（図３）。かえし１４により、上部断熱材１５が防蟻笠木１から抜けることを防止する。
外張り断熱材３は所定の長さのものを現場に搬入し、基礎コンクリート２の立ち上がり高さに合わせて切断したものを組み合わせて用いるが、あらかじめ、外張り断熱材３と組み合わせて基礎コンクリート２の高さと合うように長さを調整した上部断熱材１５を配置しておくことで、外張り断熱材３の歩留まりが良くなり、工費を低減できる。
また、内折曲部１３が基礎コンクリート２内に位置するため、基礎コンクリート２打設時には外張り断熱材３と内折曲部１３との間にコンクリートが入らず、空間Ｓができてしまうおそれがある（図１）。
しかし、上部断熱材１５をあらかじめ配置しておくと、水平部１１と基礎コンクリート２との間に上部断熱材１５が位置するため、空間Ｓによる断熱性能の低下を防ぐ。
上部断熱材１５は、下端が外折曲部１２や内折曲部１３より下部に位置する大きさとしてもよい（図５）。
【符号の説明】
【００１７】
１      防蟻笠木
１１    水平部
１２    外折曲部
１３    内折曲部
１３１  傾斜部
１４    かえし
１５    上部断熱材
２      基礎コンクリート
３      外張り断熱材
【図１】
0003212407.tif 000003
【図２】
0003212407.tif 000004
【図３】
0003212407.tif 000005
【図４】
0003212407.tif 000006
【図５】
0003212407.tif 000007